(57)【要約】  【課題】基地局を天井面に設置する設置作業や保守点検作業の危険性や手間を軽減すると共に、基地局の置き場所が業務や通行の邪魔になるのを防止する。  【解決手段】基地局本体及びこの基地局本体に接続されたアンテナを介して外部の無線通信端末との間で無線通信を行う基地局を備えた床材に関する。本発明の無線基地局用床材（床パネル１０）は、床材本体としてのパネル本体１１と、このパネル本体１１の裏面側に設置された基地局本体１３と、パネル本体１１の表面に埋設された平面アンテナ１２とを備え、例えば構内ＰＨＳ用の無線基地局を構成する。平面アンテナ１２は、表面側にアンテナ部１２ａを、裏面側にアース部１２ｂをそれぞれ備え、アース部１２ｂをパネル本体１１の天板１１ａに直接接触させて接地する。【選択図】  図１
2005027213.tif 000002
【特許請求の範囲】
【請求項１】
基地局本体及びこの基地局本体に接続されたアンテナを介して外部の無線通信端末との間で無線通信を行う基地局を備えた床材であって、
床材本体と、
この床材本体の裏面側に設置された基地局本体と、
床材本体の表面側に設置された平面アンテナと、
を備えたことを特徴とする無線基地局用床材。
【請求項２】
請求項１に記載した無線基地局用床材において、
平面アンテナを床材本体の表面側に埋設したことを特徴とする無線基地局用床材。
【請求項３】
請求項１または２に記載した無線基地局用床材において、
平面アンテナの表面にアンテナ部を形成すると共に裏面にアース部を形成し、このアース部を金属製の床材本体に接続して接地したことを特徴とする無線基地局用床材。
【請求項４】
請求項１，２または３に記載した無線基地局用床材において、
床材本体がフリーアクセスフロア用の床パネル本体であることを特徴とする無線基地局用床材。
【発明の詳細な説明】
【技術分野】
【０００１】
本発明は、例えば構内ＰＨＳ（Personal Handyphone System）や無線ＬＡＮ（Local Area Network）システム等の無線基地局として用いられる床パネル、床板等の床材に関するものである。
【背景技術】
【０００２】
近年、構内ＰＨＳを利用した無線通話やＰＩＡＦＳ（PHS Internet Access Forum Standard）端末によるデータ伝送システム、無線ＬＡＮシステム等の普及・発展は目覚ましいものがある。
これらの無線通信システムでは、各種の無線通信端末（例えばＰＨＳ電話機、ＰＩＡＦＳ端末、ノートパソコン、ＰＤＡ（Personal Digital Assistant）等）との間で電波を送受信するために、構内交換機やＬＡＮに接続された基地局を室内に設置する必要がある。
【０００３】
従来の基地局は、室内の天井や側壁等に設置するのが一般的であり、例えば下記の特許文献１には、通信機能を備えたパソコン等の端末と無線通信する基地局を天井面に設置する無線通信システムが記載されている。
また、特許文献２には、床面に設置されるスタンド上の台座に無線基地局を設置したり、仕切り板に無線基地局を固定する無線基地局の構内設置方法が記載されている。
更に、特許文献３には、太陽電池パネル等を備えた可搬形の構内ＰＨＳ基地局が記載されている。
【０００４】
【特許文献１】特開平８−２２３１７２号公報（請求項１、図１、図５等）
【特許文献２】特開２０００−３２５３４号公報（請求項１、図１〜図５等）
【特許文献３】特開平１０−３３６０９４号公報（請求項１、図１、図４、図５等）
【発明の開示】
【発明が解決しようとする課題】
【０００５】
特許文献１に記載されているように、基地局を天井面に設置する場合には、その設置時や点検保守時に高所での作業が必要なため危険を伴うと共に、工事費や作業費が嵩むという問題がある。
特許文献２や特許文献３に記載された基地局は、いずれにしても室内外に据え置かれる構造であるため、その置き場所を確保しなくてはならず、平常の業務や通行の邪魔になる等の問題がある。
【０００６】
そこで、本発明は、床パネルや床板等にアンテナを含む基地局を一体化させることにより、上述した種々の問題点を解決する構造簡単かつ安価な無線基地局用床材を提供しようとするものである。
【課題を解決するための手段】
【０００７】
上記課題を解決するため、請求項１に記載した無線基地局用床材は、基地局本体及びこの基地局本体に接続されたアンテナを介して外部の無線通信端末との間で無線通信を行う基地局を備えた床材であって、床材本体と、この床材本体の裏面側に設置された基地局本体と、床材本体の表面側に設置された平面アンテナと、を備えたものである。
【０００８】
請求項２に記載した無線基地局用床材は、請求項１に記載した無線基地局用床材において、平面アンテナを床材本体の表面側に埋設したものである。
【０００９】
請求項３に記載した無線基地局用床材は、請求項１または２に記載した無線基地局用床材において、平面アンテナの表面にアンテナ部を形成すると共に裏面にアース部を形成し、このアース部を金属製の床材本体に接続して接地したものである。
【００１０】
請求項４に記載した無線基地局用床材は、請求項１，２または３に記載した無線基地局用床材において、床材本体がフリーアクセスフロア（二重床）用の床パネル本体であることを特徴とする。
【発明の効果】
【００１１】
本発明によれば、基地局本体及び平面アンテナからなる基地局が床材に一体化されるため、従来のように基地局を室内の天井や側壁に設置する必要が無く、その設置作業や保守点検作業に伴う危険や労力を軽減することができる。また、室内側に突出する部分をなくすことができるから、業務や通行の邪魔になるおそれもない。
なお、本発明は、構内ＰＨＳやコードレス電話、無線ＬＡＮシステム等を始めとして、商品・製品の管理システム、盗難防止システム等にも適用可能である。すなわち、商品等に取り付けられたＩＣタグを一種の無線通信端末と考え、このＩＣタグと無線通信する送受信機を基地局と見なすことにより、これらのシステムにも同様に適用することができる。
【発明を実施するための最良の形態】
【００１２】
以下、図に沿って本発明の実施形態を説明する。なお、この実施形態は本発明の無線基地局用床材をフリーアクセスフロア用の床パネルに適用したものであるが、本発明はこの種の床パネルに限らず、通常の床パネル、床板、床用ボード等の各種床材に適用可能である。
【００１３】
まず、図１は本実施形態の床パネル１０の表面図（上面図）、図２は正面図、図３は裏面図を示している。
これらの図において、１１は鋼鉄やアルミ等の金属製の床材本体としてのパネル本体であり、後述する図４に示す如く、天板１１ａ及び背板１１ｂを接合して中空状に形成されている。
天板１１ａの中心部両側には凹部が二ヶ所形成されており、これらの凹部には、ほぼ正方形の平面アンテナ１２が天板１１ａと面一状になるように埋設されている。
【００１４】
上記平面アンテナ１２は、例えばガラスエポキシ等の誘電体基板の表裏両面に銅箔を形成してなり、その表面（図１においてハッチングを施した面）には、送受信する電波の周波数及び比帯域を考慮した所定パターンのアンテナ部が形成され、裏面にはアース部が形成されている。なお、これらのアンテナ部及びアース部については図４を参照しつつ後述する。
アンテナ部としては、電波が上方（室内側）へ伝播する指向性を持ち、所望の利得が得られるものであることが必要である。
【００１５】
また、１３は基地局本体であり、パネル本体１１の裏面（背板１１ｂ）中央にボルト止め等の適宜な手段で固定されている。ここで、基地局本体１３は、可能であれば背板１１ｂ内部の中空部分に収納しても良い。
【００１６】
図２に示すように、基地局本体１３及び平面アンテナ１２は同軸ケーブル１４によってそれぞれ接続されている。図２には示されていないが、同軸ケーブル１４の両端部にコネクタを取り付けて基地局本体１３及び平面アンテナ１２にそれぞれ接続すると良い。
上記の基地局本体１３及び平面アンテナ１２を備えた床パネル１０により、構内ＰＨＳ用の無線基地局が構成される。
【００１７】
図４は、図２の一部を拡大し、かつ切り欠いて示したものであり、平面アンテナ１２はその表面に銅箔の所定パターンからなるアンテナ部１２ａを備え、裏面に銅箔からなるアース部１２ｂを備えている。また、アース部１２ｂはパネル本体１１の天板１１ａに直接接続されており、このパネル本体１１は後述する支柱４０等を介して接地されている。
なお、パネル本体１１はコンクリートや樹脂等の絶縁材料でも良く、必要に応じて平面アンテナ１２のアース部１２ｂを適宜な方法により接地する。
【００１８】
基地局本体１３は、図４に示す如くＰＨＳ電話機５１による音声通話やＰＩＡＦＳ端末５２（ＰＩＡＦＳモデムを備えたノートパソコン）等によるデータ伝送に必要な送受信機能、インターフェイス等を備えており、ケーブル１３ａを介して構内交換機やＬＡＮ、及び電源等に接続されている。
図４において、２０は帯電防止加工を施したカーペットである。なお、カーペット２０に代えてビニタイル等を敷設してもよいのはいうまでもない。
【００１９】
図５は、この実施形態に係る床パネルの施工状態を示すものである。構内ＰＨＳでは、１台の基地局により半径１００ｍ程度のエリアで通信可能であるため、室内床面のごく一部のみに本実施形態の床パネル１０を敷設すれば良く、それ以外は、図示するように基地局を有しない通常の床パネル１０’を使用すればよい。なお、図５において、３０は床スラブ、４０は支柱である。
【００２０】
以上述べたようにこの実施形態によれば、基地局本体１３及び平面アンテナ１２からなる基地局をパネル本体１１に一体化して無線基地局用の床パネル１０を構成したため、高所での危険な作業を要することなく、基地局の設置作業が可能である。また、基地局本体１３や平面アンテナ１２の保守点検は、カーペット２０等を剥がして床パネル１０を取り外すことにより可能であるから、至って作業性が良い。
更に、本発明をフリーアクセスフロア用の床パネルに適用することで、基地局本体１３への接続ケーブルの処理や引き回しも容易になる。
【００２１】
なお、上記実施形態において、平面アンテナ１２の形状や配置は図示例に何ら限定されないのは勿論である。
更に、実施形態では耐マルチパス方式として空間ダイバシティ方式を想定し、平面アンテナ１２を２個設置した例を示してあるが、構内ＰＨＳに限らず、耐マルチパスを特に考慮しない場合や時間ダイバシティ方式、周波数ダイバシティ方式をとる場合などには、原理的に１個の平面アンテナ１２を設置すれば良い。
【図面の簡単な説明】
【００２２】
【図１】本発明の実施形態に係る床パネルの表面図である。
【図２】本発明の実施形態に係る床パネルの正面図である。
【図３】本発明の実施形態に係る床パネルの裏面図である。
【図４】図２の一部を拡大し、かつ切り欠いて示した説明図である。
【図５】本発明の実施形態に係る床パネルの施工状態を示す説明図である。
【符号の説明】
【００２３】
１０，１０’：床パネル
１１：パネル本体
１１ａ：天板
１１ｂ：背板
１２：平面アンテナ
１２ａ：アンテナ部
１２ｂ：アース部
１３：基地局本体
１３ａ：ケーブル
１４：同軸ケーブル
２０：カーペット
３０：床スラブ
４０：支柱
５１：ＰＨＳ電話機
５２：ＰＩＡＦＳ端末（ノートパソコン）
【図１】
2005027213.tif 000003
【図２】
2005027213.tif 000004
【図３】
2005027213.tif 000005
【図４】
2005027213.tif 000006
【図５】
2005027213.tif 000007